(57)【要約】【課題】壁パネルの表側、裏側のどちら側にも壁パネル取付用の金物類を露出させることなく、壁パネルを容易に確実、かつ精度良く、しかも高耐剪断力で、建物の躯体側のコンクリートに取り付けることができる取付構造及び取付方法を提供すること。【解決手段】建物への壁パネル下部の取付構造であって、壁パネル１の小口から壁パネル１の面内方向に向かって設けられた長孔部２に棒状部材４が挿入され、棒状部材４の壁パネル１に挿入されていない側の端部が、長軸の向きが互いにねじれ位置の関係にある複数の長孔を有する台座部材６を介してスラブコンクリート床３と固定されることを特徴とする。【選択図】図１
2008196201.tif 000002
【特許請求の範囲】
【請求項１】
建物への壁パネル下部の取付構造であって、
前記壁パネルの小口から前記壁パネルの面内方向に向かって設けられた長孔部に棒状部材が挿入され、
前記棒状部材の前記壁パネルに挿入されていない側の端部が、長軸の向きが互いにねじれ位置の関係にある複数の長孔を有する台座部材を介してスラブコンクリート床と固定されることを特徴とする、壁パネルの取付構造。
【請求項２】
前記壁パネルと前記スラブコンクリート床との間で前記棒状部材に溶接固定されるパネル支持部材によって、前記壁パネルの前記スラブコンクリート床側への動きが拘束されることを特徴とする、請求項１に記載の壁パネル取付構造。
【請求項３】
前記壁パネルと前記スラブコンクリート床との間で前記棒状部材と螺合するパネル支持部材によって、前記壁パネルの前記スラブコンクリート床側への動きが拘束されることを特徴とする、請求項１に記載の壁パネル取付構造。
【請求項４】
前記壁パネルと前記スラブコンクリート床との間にモルタル層、コンクリート層の少なくとも一層を有することを特徴とする、請求項１乃至３のいずれかに記載の壁パネルの取付構造。
【請求項５】
建物への壁パネル下部の取付方法であって、
前記壁パネルの小口から前記壁パネルの面内方向に向かって設けられた長孔部に棒状部材が挿入される段階と、
前記棒状部材の前記壁パネルに挿入されていない側の端部が、長軸の向きが互いにねじれ位置の関係にある複数の長孔を有する台座部材を介してスラブコンクリート床に固定される段階と、
前記棒状部材が螺合しまたは溶接固定されるパネル支持部材によって前記壁パネルがスラブコンクリート床から任意の離れ位置に設置される段階とを有することを特徴とする、壁パネルの取付方法。
【発明の詳細な説明】
【技術分野】
【０００１】
本技術は主にＲＣ造、ＳＲＣ造の建物の梁、柱、スラブ、壁等、躯体側のコンクリート部分への壁パネルの取付構造及び取付方法に関する。本発明はＰＣ板、ＡＬＣ板、押出成形板等、コンクリート系の壁パネルに好適に適用できる。
【背景技術】
【０００２】
スラブコンクリート床上部に例えばＡＬＣ壁パネルを取付ける一般的な例を図２の（ａ）、（ｂ）で説明する。図２は、従来例に係る壁パネルの下部と躯体との接続部を示す図であり、（ａ）が断面図で（ｂ）が内観図である。本例では、壁パネルとしてＡＬＣの壁パネルを用いた例を説明する。図２に示すようにスラブコンクリート床１８の上部にはコンクリートの立ち上がり部１９があり、同部には下地アングル２１を取付けるための埋込アングル２０が設けられている。下地アングル２１は埋込アングル２０に溶接されることによりコンクリートの立ち上がり部１９に固定されている。壁パネル１７は、ボルト２２、アンカー鋼棒２３、イナズマ金物２４より構成される取付ファスナーにより、下地アングル２１に取付固定される。尚、２５はライナー、２６はシーリング材である。
【０００３】
上記の技術と同様の技術は、非特許文献１にも掲載されている。また、躯体コンクリートに壁パネルを取り付ける際に高さを調整できる技術がある（例えば、特許文献１を参照）。また、風圧力が作用しない間仕切壁パネルを躯体コンクリートに取付金物を露出させずに取り付ける技術もある（例えば、特許文献２を参照）。
【０００４】
【非特許文献１】日本建築学会、「建築工事標準仕様書・同解説 ＪＡＳＳ２１ ＡＬＣパネル工事2005」４２頁「解説図3.3  鉄筋コンクリート造におけるロッキング構法の取付け例」
【特許文献１】特開平１１−１２４９３７
【特許文献２】特開２００５−４８４９２
【発明の開示】
【発明が解決しようとする課題】
【０００５】
建物のスラブコンクリート床上部に壁パネルを取り付ける場合、一般的には図２や非特許文献１のように壁パネルを取り付けるための下地アングル、取付ファスナー等の金物類がパネルの表側、あるいは裏側のどちらかに露出する。
【０００６】
このため、金物類が仕上げ工事の障害となる場合があり、仕上げ表面からなお金物類が突出して見栄えが悪い場合もある。また、前記壁パネルから金物類が突出していると、身体の一部を引っかけて怪我をする恐れがあるため、さらなる安全性の向上も求められている。
【０００７】
本発明の第１の目的は、壁パネルの表側、裏側のどちら側にも壁パネル取付用の金物類を露出させないことである。
【０００８】
次に、特許文献１の技術は高さの調整寸法の単位が板スペーサー（丸座金）の厚さに依存する。このため、高さの微調整がしづらいという問題があった。また、特許文献２の技術はスラブコンクリート床側にコンクリート釘で固定した金物とパネル側に取り付けた金物とを咬み合わせて取付け固定する技術であるが、咬み合わせ部にはパネル位置の施工誤差を吸収できる機構が無い。このため、壁パネルの位置の調整（面外方向、面内水平方向、高さ方向）が殆どできないという問題があった。
【０００９】
本発明の第２の目的は、壁パネルの高さ（スラブコンクリート床からの離れ寸法）を容易に精度良く調整することである。
【００１０】
さらに、特許文献２では、コンクリート釘を打ち込んだ際、コンクリート部にクラック、欠け等の欠陥が発生しやすいためコンクリート釘の長手方向に直交する方向の力に対する信頼性が低い。また、コンクリート釘に繰り返し剪断荷重がかかった場合の金属疲労破壊に対する信頼性が不明である。更に、コンクリート釘自体の剪断耐力が小さい等の理由により、このままでは風圧力が作用する外壁パネルには使用し難いという問題があった。
【００１１】
本発明の第３の目的は、外壁のように風圧力等の大きな水平力が作用する部位にも使用可能な高耐剪断力の取付構造を提供することである。
【００１２】
つまり、本発明の目的は、壁パネルの表側、裏側のどちら側にも壁パネル取付用の金物類を露出させることなく、壁パネルを容易に確実、かつ精度良く、しかも高耐剪断力で、建物の躯体側のコンクリートに取り付けることができる取付構造及び取付方法を提供することである。
【課題を解決するための手段】
【００１３】
前記目的を達成するための手段として、本発明は次の構成及び方法を有する。
【００１４】
（１）
建物への壁パネル下部の取付構造であって、
前記壁パネルの小口から前記壁パネルの面内方向に向かって設けられた長孔部に棒状部材が挿入され、
前記棒状部材の前記壁パネルに挿入されていない側の端部が、長軸の向きが互いにねじれ位置の関係にある複数の長孔を有する台座部材を介してスラブコンクリート床と固定されることを特徴とする、壁パネルの取付構造。
【００１５】
（２）
前記壁パネルと前記スラブコンクリート床との間で前記棒状部材に溶接固定されるパネル支持部材によって、前記壁パネルの前記スラブコンクリート床側への動きが拘束されることを特徴とする、（１）に記載の壁パネル取付構造。
【００１６】
（３）
前記壁パネルと前記スラブコンクリート床との間で前記棒状部材と螺合するパネル支持部材によって、前記壁パネルの前記スラブコンクリート床側への動きが拘束されることを特徴とする、（１）に記載の壁パネル取付構造。
【００１７】
（４）
前記壁パネルと前記スラブコンクリート床との間にモルタル層、コンクリート層の少なくとも一層を有することを特徴とする、（１）乃至（３）のいずれかに記載の壁パネルの取付構造。
【００１８】
（５）
建物への壁パネル下部の取付方法であって、前記壁パネルの小口から前記壁パネルの面内方向に向かって設けられた長孔部に棒状部材が挿入される段階と、前記棒状部材の前記壁パネルに挿入されていない側の端部が、長軸の向きが互いにねじれ位置の関係にある複数の長孔を有する台座部材を介してスラブコンクリート床に固定される段階と、前記棒状部材が螺合しまたは溶接固定されるパネル支持部材によって前記壁パネルがスラブコンクリート床から任意の離れ位置に設置される段階とを有することを特徴とする、壁パネルの取付方法。
【発明の効果】
【００１９】
上記構成および方法により、壁パネルの表側、裏側のどちら側にも壁パネル取付用の金物類を露出させない。このため、外観及び内観においていずれも、壁パネルの意匠性を向上させることができる。また、壁パネルの高さ（躯体コンクリートからの離れ寸法）を自在に容易に精度良く調整することができる。更に、外壁のように風圧力等の大きな水平力が作用する部位にも好適である。したがって、壁パネルの表側、裏側のどちら側にも壁パネル取付用の金物類を露出させることなく、壁パネルを容易に確実、かつ精度良く、しかも高耐剪断力で建物の躯体側のコンクリートに取り付けることができる。
【発明を実施するための最良の形態】
【００２０】
図を用いて本発明の実施形態を具体的に説明する。なお、壁パネルの取付部の構造として、以下の説明においては壁パネルの下部構造のみを例示して説明する。図示しないが、壁パネルの側部や上部のうちの１箇所以上に、壁パネルの面外方向の力に対する何らかの拘束手段を設けることとする。また、本実施形態の取付構造を壁パネルの側面に適用した場合には、もう一方の側部、上部、下部のうちの１箇所以上に、壁パネルの面外方向の力に対する何らかの拘束手段を設けることとする。
【００２１】
図を用いて本発明の一実施形態を具体的に説明する。図１はスラブコンクリート床（躯体コンクリート）への壁パネル取付構造を示す断面図である。具体的には、図１（ａ）はスラブコンクリート床への壁パネル取付部の内観図、図１（ｂ）は図１（ａ）のＸ−Ｘ平断面図、図１（ｃ）は図１（ａ）のＹ−Ｙ立断面図である。
【００２２】
図１に示すように、本実施形態の壁パネル１下部に設けられた長孔部２には、プレート状部材５及びナット（パネル支持部材）１２、１４を挿通螺合させた雄螺子を有する棒状部材４が挿入される。尚、プレート状部材５は単独のナットでも良いし、あるいは、図１（ａ）のように座金のような平板部５ａとナット５ｂを組み合わせたもの、あるいは平板部５ａの挿通穴自体に雌螺子加工されたものでも良い。
【００２３】
尚、本実施形態でば、パネル支持部材としてナットを用いる。ここで、ナットからパネルに大きな応力がかかることが予想される場合には、パネルとナットの間に板状部材を設けることが好ましい。上部の面積がナットよりも大きな面積をもつ板状部材を設けると、板状部材がナットからパネルにかかる応力を分散させるため、より耐久力のある構造とすることができる。
【００２４】
スラブコンクリート床３の上部にはリブ６ａの両端に平行なフランジ部６ｂ、６ｄを有する台座部材６の一方のフランジ部６ｄが載置される。スラブコンクリート床３上に載置されるフランジ部６ｄにはボルトを挿通するための長孔６ｅ（ルーズ穴）があいており、長孔６ｅはスラブコンクリート床３に埋設された後施工アンカー７にボルトあるいはナット８で螺合固定される。尚、９は座金である。また、長孔６ｅはボルト径よりも大きめの穴（バカ穴）でもよい。
【００２５】
スラブコンクリート床３に載置固定されるフランジ部６ｄとは異なる側のフランジ部６ｂには、棒状部材４を挿通するための長孔６ｃ（ルーズ穴）があいており、長孔６ｃには壁パネル１下部に雌螺子を有する平板を有するプレート状部材５が当接する状態で取付けられた棒状部材４の壁パネル１に挿入されていない側（スラブコンクリート床３側）の一端が挿通される。尚、長孔６ｃは、棒状部材径よりも大きめの長孔（バカ穴）でもよい。
【００２６】
棒状部材４のスラブコンクリート床３側の一端がフランジ６ｄ上に載置された状態で、棒状部材４に螺合する長孔６ｃの両側のナット１２、１４でフランジ部６ｂを挟み込む。これにより、棒状部材４は壁パネル１に挿入されていない側に取り付けられる。さらに、壁パネル１下部とスラブコンクリート床３との間に、スラブコンクリート床３に当接固着するモルタルあるいはコンクリートの立ち上がり部１６を形成する。ここで、長孔６ｃと長孔６ｅとは、長軸の向きが互いにねじれ位置の関係にある。
【００２７】
以上のような構成により、本実施形態の構成によれば、壁パネルの表側、裏側のどちら側にも壁パネル取付用の金物類を露出させない。このため、外観及び内観においていずれも、壁パネルの意匠性を向上させることができる。
【００２８】
また、パネル１の面内方向及び面外方向の位置調整において、長孔６ｃと長孔６ｅとは、長軸の向きが互いにねじれ位置の関係にあるが、長孔６ｃと長孔６ｅとを直交させれば、面内方向及び面外方向の位置調整を容易に実施することができる。尚、長孔６ｃあるいは長孔６ｅの少なくともどちらか一方を、挿通するボルト径よりも大きなバカ穴にしてもよい。
【００２９】
また、雌螺子を有するプレート状部材５あるいは雄螺子を有する棒状部材４を回転させることで、螺子に沿ってプレート状部材５と棒状部材４との相対位置が変化し、壁パネル１の高さ調整を容易に行うことができる。
【００３０】
更に、壁パネル１とスラブコンクリート床３との間にスラブコンクリート床３に当接固着するモルタルあるいはコンクリートの立ち上がり部１６を形成することで、棒状部材４の支持力を高め、ぐらつきを防止することができる。この結果、外壁のように風圧力等の大きな水平力が作用する部位にも耐えることができる。
【００３１】
以上のように、本実施形態によれば、壁パネルの表側、裏側のどちら側にも壁パネル取付用の金物類を露出させることなく、壁パネルを容易に確実、かつ精度良く、しかも高耐剪断力で建物の躯体側のコンクリートに取り付けることができる。
【００３２】
また、壁パネル１が風圧力、地震力等、大きな水平荷重に対して耐えうる性能を要求される場合は、取付構造の数を増やすことで、壁パネル表面の見栄えを変えずに大きな水平荷重に対しても耐えることが可能となる。
【００３３】
次に、壁パネルの取り付けについて説明する。
【００３４】
図１に示すように、壁パネル１下部に設けられた長孔部２には、プレート状部材５およびナット１２、１４を挿通螺合させた雄螺子を有する棒状部材４が挿入される。
【００３５】
また、スラブコンクリート床３の上部には、台座部材６のリブ６ａの両端に平行なフランジ部６ｂ、６ｄのうちの一方のフランジ部６ｄが載置される。スラブコンクリート床３上に載置されるフランジ部６ｄには、ボルトを挿通するための長孔６ｅが面内方向にあいており、長孔６ｅはスラブコンクリート床３に埋設された後施工アンカー７に座金９を介してボルトあるいはナット８で螺合固定される。
【００３６】
また、スラブコンクリート床３に載置固定されるフランジ部６ｄとは異なる側のフランジ部６ｂには、棒状部材４を挿通するための長孔６ｃが面外方向にあいている。そして、長孔６ｃには壁パネル１下部に雌螺子を有するプレート状部材５が当接する状態で取付けられた棒状部材４の壁パネル１に挿入されていない側の一端が挿通される。
【００３７】
次に、棒状部材４の壁パネル１に挿入されていない側の一端がフランジ部６ｄ上に載置された状態で、棒状部材４に螺合する長孔６ｅの両側のナット１２、１４で座金１３、１５を介してフランジ部６ｂを挟み込む。これにより、棒状部材４は壁パネル１に挿入されていない側に取り付けられる。
【００３８】
尚、長孔６ｃと長孔６ｅを直交させることで、面内方向、及び面外方向の位置調整を容易に実施することが可能である。また、雌螺子を有するプレート状部材５あるいは雄螺子を有する棒状部材４を回転させることで、パネル１の高さ方向の位置調整が容易に実施できる。
【００３９】
さらに、壁パネル１とスラブコンクリート床３との間にスラブコンクリート床３に当接固着するモルタルまたはコンクリートの立ち上がり部１６を形成することで、棒状部材４の支持力を高め、ぐらつきを防止することができる。尚、立ち上がり部１６は、モルタル層及びコンクリート層の双方から形成してもよい。
【００４０】
以上のように、本発明によれば、壁パネル１の表側、裏側のどちら側にも壁パネルの取付用の金物類を一切露出させることなく、壁パネルを容易に確実、かつ精度良く、しかも高耐力で建物の躯体側のコンクリートに取り付けることが可能となり、見栄えの良い、すっきりとした納まりにすることができる。
【００４１】
また、壁パネル１が風圧力、地震力等、大きな荷重に対して耐えうる性能を要求される場合は、取付部の数を増やすことで、大きな荷重に対しても耐えうることが可能となる。
【００４２】
なお、地震時の層間変形等で壁パネル１がスラブコンクリート床３に対して、棒状部材４がスラブコンクリート床３と当接する側の端部を中心に回転する動きが想定される場合には、壁パネル１とコンクリート躯体３との間の空間に、変形に対して追従性の高い材料、例えばシーリング材を充填すればよい。また、壁パネル１の上部がスライドできるなど、壁パネル１が殆ど回転しないことが想定される場合には、壁パネル１とコンクリート躯体３との間に隙間無くモルタル、又はコンクリートを充填してもよい。
【産業上の利用可能性】
【００４３】
本発明はＲＣ造、ＳＲＣ造以外のコンクリート躯体、例えばＳ造の建物のスラブコンクリート部分にも応用することができる。
【図面の簡単な説明】
【００４４】
【図１】スラブコンクリート床への壁パネル取付構造を示す断面図。
【図２】従来例に係る壁パネルの下部と躯体との接続部を示す図。
【符号の説明】
【００４５】
１…壁パネル、２…長孔部、３…スラブコンクリート床、４…雄螺子を有する棒状部材、５…プレート状部材、５ａ…平板部、５ｂ…ナット、６…台座部材、６ａ…リブ、６ｂ…フランジ部、６ｃ…長孔、６ｄ…フランジ部、６ｅ…長孔、７…後施工アンカー、８…ナット、１２…ナット、１３…座金、１４…ナット、１５…座金、１６…立ち上がり部、１７…壁パネル、１８…スラブコンクリート床、１９…立ち上がり部、２０…埋込アングル、２１…下地アングル、２２…ボルト、２３…アンカー鋼棒、２４…イナズマ金物、２５…ライナー、２６…シーリング材
【図１】
2008196201.tif 000003
【図２】
2008196201.tif 000004